(57)【要約】      （修正有）【課題】作業者が篩網のテンションを調整することができ、篩網の長寿命化を図ることができる篩器具およびそれを備える篩い装置を提供する。【解決手段】伸縮性のある円筒型の篩網が取り付けられる篩器具１であって、篩網２の端部を保持する保持部材１０と、保持部材１０が移動可能に取り付けられる複数のガイド部材２０と、ガイド部材２０に取り付けられており、保持部材１０の位置を調整する位置調整部材３０とを備え、位置調整部材３０は、ガイド部材２０に沿って移動することで保持部材１０の位置を調整可能であるとともに、ガイド部材２０の任意の位置で静止することで保持部材１０の位置を固定可能である。【選択図】図１
0003211573.tif 000002
【実用新案登録請求の範囲】
【請求項１】
伸縮性のある円筒型の篩網が取り付けられる篩器具であって、
篩網の端部を保持する保持部材と、
前記保持部材が移動可能に取り付けられる複数のガイド部材と、
前記ガイド部材に取り付けられており、前記保持部材の位置を調整する位置調整部材とを備え、
前記位置調整部材は、前記ガイド部材に沿って移動することで前記保持部材の位置を調整可能であるとともに、前記ガイド部材の任意の位置で静止することで前記保持部材の位置を固定可能である篩器具。
【請求項２】
前記位置調整部材は、前記保持部材を挟んで配置された複数のナットからなり、
前記ガイド部材は、前記複数のナットと螺合するネジ部を両端に有する棒状の部材である請求項１に記載の篩器具。
【請求項３】
さらに前記ガイド部材と接続する外枠部材を有し、
前記外枠部材は、前記保持部材よりも前記ガイド部材の端部側に配置されるとともに、前記保持部材との距離が調整可能となっている請求項１または２に記載の篩器具。
【請求項４】
前記ガイド部材を３〜６つ備える請求項１〜３のいずれかに記載の篩器具。
【請求項５】
ナイロン製の円筒型の篩網が取り付けられる篩器具であって、
２つの環状部材を有し、前記２つの環状部材のうち少なくとも１つの環状部材は筒部を有し、前記筒部を前記篩網の端部で覆い、網固定部材により前記篩網の端部と前記筒部とを締め付けることで、前記篩網の端部を保持する保持部材と、
両端にネジ部を有する棒状の部材であり、前記保持部材の孔に連通することで前記保持部材が移動可能に取り付けられている複数のガイド部材と、
前記ガイド部材に接続し、前記保持部材よりも前記ガイド部材の端部側に配置されるとともに、前記保持部材との距離が調整可能となっている外枠部材と、
前記保持部材を挟持するように前記ガイド部材上に配置された複数のナットからなり、前記保持部材の前記ガイド部材上における位置を調整する位置調整部材とを備え、
前記位置調整部材は、前記複数のナットを前記ガイド部材のネジ部に螺合させながら移動させることで、前記保持部材の前記ガイド部材上における位置を調整可能であるとともに、前記複数のナットを前記ガイド部材の任意の位置で静止させることで前記保持部材の前記ガイド部材上における位置を固定可能である篩器具。
【請求項６】
請求項１〜５のいずれかに記載の篩器具と、
前記篩器具を装着可能であり、前記篩器具を回転または振動させる本体部と、を備える篩装置。
【考案の詳細な説明】
【技術分野】
【０００１】
本考案は、粉体を篩い分ける篩網が取り付けられる篩器具およびそれを備える篩装置に関する。
【背景技術】
【０００２】
従来、粉体のダマ取り、ダマ崩し、異物混入を防止するための円筒型シーブが知られている（たとえば特許文献１）。
【先行技術文献】
【特許文献】
【０００３】
【特許文献１】国際公開第２００４／０６０５８４号
【考案の概要】
【考案が解決しようとする課題】
【０００４】
従来の円筒型シーブでは、ナイロンなどの伸縮性のある篩網を取り付けた場合に、篩網の一部に遠心力が強くかかることで篩網の一部が撓んでしまい、比較的短期間で篩網を交換しなければならない場合があった。
【０００５】
本考案は、作業者が篩網のテンションを調整することができ、篩網の長寿命化を図ることができる篩器具を提供することを目的とする。
【課題を解決するための手段】
【０００６】
（１）本考案の第１の観点に係る篩器具は、伸縮性のある円筒型の篩網が取り付けられる篩器具であって、篩網の端部を保持する保持部材と、前記保持部材が移動可能に取り付けられる複数のガイド部材と、前記ガイド部材に取り付けられており、前記保持部材の位置を調整する位置調整部材とを備え、前記位置調整部材は、前記ガイド部材に沿って移動することで前記保持部材の位置を調整可能であるとともに、前記ガイド部材の任意の位置で静止することで前記保持部材の位置を固定可能である。
（２）上記篩器具において、前記位置調整部材は、前記保持部材を挟んで配置された複数のナットからなり、前記ガイド部材は、前記複数のナットと螺合するネジ部を両端に有する棒状の部材であるように構成することができる。
（３）上記篩器具において、さらに前記ガイド部材と接続する外枠部材を有し、前記外枠部材は、前記保持部材よりも前記ガイド部材の端部側に配置されるとともに、前記保持部材との距離が調整可能となっているように構成することができる。
（４）上記篩器具において、前記ガイド部材を３〜６つ備えるように構成することができる。
（５）本考案の第２の観点に係る篩器具は、ナイロン製の円筒型の篩網が取り付けられる篩器具であって、２つの環状部材を有し、前記２つの環状部材のうち少なくとも１つの前記環状部材は筒部を有し、前記筒部を前記篩網の端部で覆い、網固定部材により前記篩網の端部と前記筒部とを締め付けることで、前記篩網の端部を保持する保持部材と、両端にネジ部を有する棒状の部材であり、前記保持部材の孔に連通することで前記保持部材が移動可能に取り付けられている複数のガイド部材と、前記ガイド部材に接続し、前記保持部材よりも前記ガイド部材の端部側に配置されるとともに、前記保持部材との距離が調整可能となっている外枠部材と、前記保持部材を挟持するように前記ガイド部材上に配置された複数のナットからなり、前記保持部材の前記ガイド部材上における位置を調整する位置調整部材とを備え、前記位置調整部材は、前記複数のナットを前記ガイド部材のネジ部に螺合させながら移動させることで、前記保持部材の前記ガイド部材上における位置を調整可能であるとともに、前記複数のナットを前記ガイド部材の任意の位置で静止させることで前記保持部材の前記ガイド部材上における位置を固定可能である篩器具。
（６）本考案に係る篩装置は、上記（１）〜（５）のいずれかに記載の篩器具と、前記篩器具を装着可能であり、前記篩器具を回転または振動させる本体部と、を備える。
【考案の効果】
【０００７】
本考案によれば、位置調整部材により篩網を保持する保持部材の位置を調整することで、作業者は篩網のテンションを調整することができ、篩網の長寿命化を図ることができる。
【図面の簡単な説明】
【０００８】
【図１】本実施形態に係る篩器具の正面図である。
【図２】本実施形態に係る篩器具の分解斜視図である。
【図３】本実施形態に係る保持部材を説明するための分解図である。
【考案を実施するための形態】
【０００９】
本考案に係る実施形態を図面を参照して説明する。なお、以下においては、油分を含む粉体のダマ取り、ダマ崩し、異物混入を防止する篩器具を例示して説明するが、本考案に係る篩器具に適用できる粉体は特に限定されない。
【００１０】
図１は、本実施形態に係る篩器具１の正面図であり、図２は、本実施形態に係る篩器具１の斜視分解図である。本実施形態に係る篩器具１は、篩網２を取り付けるための器具であり、図１に示すように、保持部材１０、ガイド部材２０、位置調整部材３０、外枠部材４０、および網固定部材５０を備える。なお、本実施形態に係る篩器具１は、図１の線Ａに対して線対称となっているため、対称となっている同じ部材については同じ符号を用いて説明する。
【００１１】
保持部材１０は、図２に示すように、第１環状部材１１および第２環状部材１２から構成される。第１環状部材１１および第２環状部材１２は同程度の大きさの環状部材であり、第１環状部材１１と第２環状部材１２との間には、外枠部材４０と保持部材１０との間から粉体が漏れることを防止するために、パッキン１３が介在されている。なお、本実施形態では、パッキン１３を介在させるために、保持部材１０を第１環状部材１１および第２環状部材１２で構成しているが、保持部材１０は、第１環状部材１１のみで構成することもできる。
【００１２】
ここで、図３は、保持部材１０を説明するための分解図である。なお、図３では、説明の便宜のため、後述するガイド部材２０、位置調整部材３０、および網固定部材５０の図示は省略している。図３に示すように、第１環状部材１１は円環板部１１ａと筒部１１ｂとを有する。同様に、外枠部材４０も円環板部４０ａと筒部４０ｂとを有する。外枠部材４０の筒部４０ｂの外径（図３に示す破線）は、保持部材１０の内径よりも小さくなっており、これにより、外枠部材４０の筒部４０ｂが保持部材１０に挿通可能となっている。その結果、外枠部材４０と保持部材１０との間、より具体的には外枠部材４０の筒部４０ｂと保持部材１０の内径部との間から粉体が漏出することを防止しつつ、保持部材１０と外枠部材４０との距離を調整可能となっている。
【００１３】
また、図３に示すように、円筒型である篩網２の内径は、第１環状部材１１の筒部１１ｂの外径よりも大きくなっている。これにより、第１環状部材１１の筒部１１ｂを篩網２の端部で覆うことができる。本実施形態では、第１環状部材１１の筒部１１ｂを篩網２の端部で覆い、さらに図１に示すように、網固定部材５０により篩網２の端部を筒部１１ｂに締め付けることで、篩網２を篩器具１に固定する。
【００１４】
図１および図２に戻り、本実施形態に係る篩器具１は、４本のガイド部材２０を有する。それぞれのガイド部材２０は１本の棒状部材２１と２本のネジ部材２２とから構成される。具体的には、棒状部材２１の両端には凹部（不図示）が形成されており、該凹部の内面には、ネジ部材２２のネジ形状に応じたネジ溝を有する。これにより、棒状部材２１とネジ部材２２とが螺合することで、ガイド部材２０を、端部にネジ部を有する棒状の部材とすることができる。なお、本実施形態では、ガイド部材２０を４本有する構成を例示したが、ガイド部材２０の数は特に限定されない。ただし、篩網２を円筒型に保持するため、ガイド部材２０の本数は３〜６本とすることが好適である。
【００１５】
本実施形態では、図２に示すように、保持部材１０を構成する第１環状部材１１および第２環状部材１２に、同間隔で４つの孔が形成されている。そして、当該孔にガイド部材２０のネジ部を挿入することで、保持部材１０がガイド部材２０により連通されている。これにより、保持部材１０は、ガイド部材２０の長手方向に、ガイド部材２０に沿って移動可能となっている。
【００１６】
位置調整部材３０は、保持部材１０の位置を調整する部材である。本実施形態において、位置調整部材３０は、第１ナット３１、第２ナット３２および第３ナット３３から構成される。図１〜３に示すように、第１ナット３１、第２ナット３２および第３ナット３３は、ガイド部材２０のネジ部と螺合するように形成されており、第１ナット３１、第２ナット３２および第３ナット３３をそれぞれ回転させることで、第１ナット３１、第２ナット３２および第３ナット３３を、ガイド部材２０の長手方向に、ガイド部材２０に沿って移動させることができる。
【００１７】
また、第１ナット３１、第２ナット３２および第３ナット３３は、保持部材１０を挟んで配置されている。本実施形態では、第１ナット３１および第２ナット３２が、保持部材１０よりもガイド部材２０の中央側に配置されているとともに、第３ナット３３が保持部材１０よりもガイド部材２０の端部側に配置されている。これにより、第１ナット３１、第２ナット３２および第３ナット３３を、保持部材１０に密着させて、保持部材１０を挟み込むことで、保持部材１０の位置を固定することができる。さらに、第１ナット３１、第２ナット３２および第３ナット３３を、ガイド部材２０に沿って移動させることで、保持部材１０の位置を調整することもできる。
【００１８】
なお、保持部材１０の移動可能範囲は、位置調整部材３０の移動可能範囲および外枠部材４０の筒部４０ｂの長さに応じて決定される。すなわち、本実施形態では、第３ナット３３が外枠部材４０と接する位置まで、位置調整部材３０をガイド部材２０の端部方向に移動させることができるとともに、第２ナット３２が第４ナット３４と接する位置まで位置調整部材３０をガイド部材２０の中央方向に移動させることができるが、粉体の漏出を防ぐため、保持部材１０の移動可能範囲は、保持部材１０の内径面（またはパッキン１３）と外枠部材４０の筒部４０ｂとが接する範囲内に制限される。
【００１９】
外枠部材４０は、図１に示すように、ガイド部材２０に接続されており、篩器具１の外枠を構成する。また、外枠部材４０は、保持部材１０から離れて配置されるとともに、保持部材１０よりもガイド部材２０の端部側に配置される。外枠部材４０と保持部材１０とが離れて配置されることで、保持部材１０を外枠部材４０側に移動させることができ、これにより、保持部材１０が保持する篩網２のテンションを調整することができる。
【００２０】
網固定部材５０は、篩網２を篩器具１に固定するための部材である。網固定部材５０は、特に限定されないが、たとえば、図１に示すように、クランプやバンドを用いることができる。本実施形態では、上述したように、第１環状部材１１の筒部１１ｂを篩網２で覆い、篩網２の上から網固定部材５０を篩器具１に締め付けることで、篩網２を篩器具１に固定することができる。
【００２１】
篩網２は、伸縮性のある網目状の素材であれば特に限定されないが、本実施形態では素材にナイロンを用いている。また、本実施形態では、篩網２は円筒型となっており、同じく円筒型の篩器具１に装着される。
【００２２】
続いて、篩器具１の使用方法について説明する。まず、始めに、篩網２を篩器具１に取り付ける方法について説明する。篩網２を篩器具１に取り付ける場合、作業者は、まず、第１環状部材１１の筒部１１ｂを篩網２で覆い、網固定部材５０で、篩網２を第１環状部材１１の筒部１１ｂに締め付ける。
【００２３】
次に、篩網２のテンションを調整する方法について説明する。作業者は、篩網２が所望のテンションとなるように、位置調整部材３０を調整する。具体的には、篩網２のテンションが低い場合（篩網２が撓んでいる場合）には、作業者は、第１ナット３１、第２ナット３２および第３ナット３３をガイド部材２０の端部方向に移動させることで、保持部材１０の位置をガイド部材２０の端部方向に移動させることができ、これにより、篩網２のテンションを所望のテンションとなるまで高くすることができる。また、粉体の篩い分け作業を行う場合、作業者は、所望のテンションに調整した篩網２を、篩網２を回転または振動させる本体部を有する篩装置に装着し、当該篩装置作動させる。これにより、篩網２の内部に投入された粉体を篩網２で篩い分けることができる。
【００２４】
また、篩網２を一定期間使用すると、遠心力などにより、篩網２の一部におけるテンションが低下する（篩網２が撓む）場合がある。このような場合、作業者は、第１ナット３１、第２ナット３２および第３ナット３３をさらにガイド部材２０の端部方向に移動させることで、低下した篩網２のテンションを所望のテンションまで高くすることができる。
【００２５】
次に、篩網２の取り換え方法について説明する。篩網２を長期間使用した後は、以下のように篩網２を容易に取り換えることができる。すなわち、作業者は、網固定部材５０を緩めるだけで篩網２を篩器具１から取り外すことができる。そして、作業者は、新しい篩網２を、上述したように篩器具１に取り付けることで、篩網２を容易に交換することができる。
【００２６】
なお、上述した実施形態では、篩網２のテンションが低い場合に、位置調整部材３０をガイド部材２０に沿って移動させて、保持部材１０の位置を調整することで、篩網２を所望のテンションとする場面を例示して説明したが、本実施形態に係る篩器具１では、次のような場面においても適用することができる。すなわち、従来の篩器具では、篩網を保持する部位が固定されていたため、篩器具で使用する篩網の外寸の規格を厳格にしなければ、篩網を篩器具に装着した場合にテンションが一定にならないという問題があった。これに対して、本実施形態に係る篩器具１では、位置調整部材３０を移動させることで、篩網２を保持する保持部材１０を篩網２の長手方向に移動させることができるため、篩器具１で使用可能な篩網の外寸の規格幅に余裕をもたせることができる。たとえば、篩網２の長さが短いため、従来の篩器具では装着できない場合も、本実施形態に係る篩器具１では、位置調整部材３０をガイド部材２０の中央側に移動させ、保持部材１０をガイド部材２０の中央側に移動させることで、長さの短い篩網２であっても篩器具１に装着させることができる場合がある。
【００２７】
以上のように、本実施形態に係る篩器具１は、伸縮性のある篩網２が取り付けられる篩器具１であって、篩網２の端部を保持する保持部材１０と、保持部材１０が移動可能に取り付けられる複数のガイド部材２０と、ガイド部材２０に取り付けられており、保持部材１０の位置を調整する位置調整部材３０とを備え、位置調整部材３０は、ガイド部材２０に沿って移動することで保持部材１０の位置を調整可能であるとともに、ガイド部材２０の任意の位置で静止することで保持部材１０の位置を固定可能である。これにより、本実施形態に係る篩器具１では、作業者が、保持部材１０の位置を容易に調整することができるため、篩網２のテンションが低下した場合でも、篩網２のテンションを所望のテンションに調整することができる。その結果、篩網２の網目を均等化することができ、粉体の篩い分けを適切に行うことができる。また、作業者が篩網２を取り換える場合には、網固定部材５０を緩めるだけで、作業者に容易に篩網２を取り換えさせることもできる。
【００２８】
また、従来の篩器具では、篩網２のテンションが低下した場合には、篩網２のテンションを調整することができないため、テンションが低下した篩網２は取り換える必要があったが、本実施形態に係る篩器具１では、篩網２のテンションを調整することができるため、篩網２を比較的長期間使用することができ、篩網２の長寿命化を図ることもできる。さらに、
従来の篩器具では篩網の外寸の規格を厳格にしなければ、篩網を篩器具に装着した場合にテンションが一定にならないという問題があったが、本実施形態に係る篩器具１では、位置調整部材３０を移動させることで篩網２を保持する保持部材１０を篩網２の長手方向に移動させることができるため、篩器具１で使用可能な篩網２の外寸の規格幅に余裕をもたせることができる。
【００２９】
加えて、本実施形態に係る篩器具１では、位置調整部材３０が、保持部材１０を挟んで配置された複数のナット３１，３２，３３であり、ガイド部材２０は、複数のナット３１，３２，３３と螺合するネジ部を有することで、作業者は、ナット３１，３２，３３を回転させるだけで、保持部材１０の位置を調整することができ、篩網２のテンションを容易に調整することができる。また、本実施形態に係る篩器具１では、外枠部材４０が、保持部材１０よりもガイド部材２０の端部側に配置されるとともに、保持部材１０との距離が調整可能となっているため、保持部材１０を外枠部材４０側に移動させることができ、篩網２のテンションを高くすることが可能となっている。
【００３０】
以上、本考案の好ましい実施形態例について説明したが、本考案の技術的範囲は上記実施形態例の記載に限定されるものではない。上記実施形態例には様々な変更・改良を加えることが可能であり、そのような変更または改良を加えた形態のものも本考案の技術的範囲に含まれる。
【００３１】
たとえば、上述した実施形態では、篩器具１の両端に保持部材１０、位置調整部材３０、および外枠部材４０をそれぞれ備え、篩器具１の両端において篩網２のテンションを調整可能な構成を例示したが、この構成に限定されず、たとえば、篩器具１の一端のみに保持部材１０、位置調整部材３０、および外枠部材４０を備え、篩器具１の一端側のみにおいて篩網２のテンションを調整可能な構成としてもよい。たとえばこの場合、篩器具の一方の端部には、図１に示すように、保持部材１０、位置調整部材３０および外枠部材４０を備え、他方の端部には従来のように篩網２を保持するための保持部材であって、固定された状態（位置調整できない状態）の保持部材を備える構成とすることができる。
【００３２】
また、上述した実施形態では、保持部材１０を第１ナット３１および第２ナット３２と、第３ナット３３とで挟み込む構成を例示したが、この構成に限定されず、たとえば、保持部材１０を第２ナット３２と第３ナット３３とのみで挟み込む構成としてもよい。また、第３ナット３３よりもガイド部材２０の端部側に第５ナットを設け、保持部材１０を、第１ナット３１および第２ナット３２と、第３ナット３３および第５ナットとで挟み込む構成とすることもできる。
【００３３】
さらに、上述した実施形態では、位置調整部材３０を、第１ナット３１、第２ナット３２、および第３ナット３３から構成する例を例示したが、この構成に限定されず、たとえば、第３ナット３３を、保持部材１０をガイド部材２０の中央方向に付勢するバネとする構成とすることもできる。
【符号の説明】
【００３４】
１…篩器具
１０…保持部材
１１…第１環状部材
１１ａ…円環板部
１１ｂ…筒部
１２…第２環状部材
１２ａ…スカート部
１３…パッキン
２０…ガイド部材
２１…棒状部材
２２…ネジ部材
３０…位置調整部材
３１…第１ナット
３２…第２ナット
３３…第３ナット
４０…外枠部材
４０ａ…円環板部
４０ｂ…筒部
５０…網固定部材
２…篩網
【図１】
0003211573.tif 000003
【図２】
0003211573.tif 000004
【図３】
0003211573.tif 000005